(57)【要約】【課題】  破損した耐張碍子の代わりに、該耐張碍子に接続された高圧線を所定期間仮支持できるようにする。【解決手段】  張線状態の高圧線４が挟持される引留クランプ５、該引留クランプ５に連結される耐張碍子６、該引留クランプ５から導出された高圧線４の縁線８を支持するためのピン碍子３、耐張碍子６やピン碍子３が取り付けられる腕金２を備えた、電柱１の頭部における高圧線４の引留箇所に、破損した耐張碍子６に連結される引留クランプ５を仮支持できるよう仮設される高圧線用仮設支持具であって、一端側に、ピン碍子３に引っ掛けられる引っ掛け部３０を設けると共に、他端側に、引留クランプ５に連結される連結部を設け、引っ掛け部３０と連結部との間に、耐張碍子６の種類に応じて、ピン碍子３と引留クランプ５との間隔を変更する間隔変更部４５を設ける。【選択図】図１
2007295679.tif 000002
【特許請求の範囲】
【請求項１】
張線状態の高圧線（４）が挟持される引留クランプ（５）、該引留クランプ（５）に連結される耐張碍子（６）、該引留クランプ（５）から導出された高圧線（４）の縁線（８）を支持するためのピン碍子（３）、耐張碍子（６）やピン碍子（３）が取り付けられる腕金（２）を備えた、電柱（１）の頭部における高圧線（４）の引留箇所に、破損した耐張碍子（６）に連結される引留クランプ（５）を仮支持できるよう仮設される高圧線用仮設支持具であって、
一端側に、ピン碍子（３）に引っ掛けられる引っ掛け部（３０）が設けられると共に、他端側に、引留クランプ（５）に連結される連結部が設けられ、さらに、引っ掛け部（３０）と連結部との間に、耐張碍子（６）の種類に応じて、ピン碍子（３）と引留クランプ（５）との間隔を変更する間隔変更部（４５）が設けられてなることを特徴とする高圧線用仮設支持具。
【請求項２】
上記間隔変更部（４５）は、ターンバックルからなることを特徴とする請求項１に記載の高圧線用仮設支持具。
【請求項３】
上記引っ掛け部（３０）は、Ｕ字形状に折り曲げられてピン碍子（３）に引っ掛けられる紐状体（３１）と、該折り曲げられた状態の紐状体（３１）の両端部が、ピン碍子（３）の径よりも幅小の状態で保持されると共に、折り曲げられた状態の紐状体（３１）の少なくとも一端部が係脱可能な保持具（３８）と、該保持具（３８）に連結可能で、且つターンバックル（４５）の一方の雄ねじ（４６）に連結可能な連結具（３６）とで構成され、
上記連結部は、ターンバックル（４５）の他方の雄ねじ（４６）に形成された連結用リング（４８）と、引留クランプ（５）及び連結用リング（４８）を連結する連結部材（５ｂ、３９）とで構成されてなることを特徴とする請求項１又は２に記載の高圧線用仮設支持具。
【発明の詳細な説明】
【技術分野】
【０００１】
本発明は、引留クランプ、耐張碍子を介して電柱の腕金に支持されている張線状態の高圧線において、該耐張碍子が落雷などの外的要因で破損して停電した場合に、その応急処置として、該電線の引留クランプをピン碍子に仮支持させる際に使用する高圧線用仮設支持具に関する。
【背景技術】
【０００２】
従来のこの種の高圧線用仮設支持具を説明するにあたって、電柱の頭部における高圧線の引留箇所の構成と、上記応急処置の手順とについて説明する。
【０００３】
上記引留箇所の構成は、図３に示すように、電柱１の頭部に水平方向に取り付けられた角筒状の腕金２と、該腕金２に所定の間隔をおいて直立して設けられた複数のピン碍子３と、架設される高圧線４が挟持される引留クランプ５と、該引留クランプ５が連結される耐張碍子６と、該耐張碍子６を腕金２に取り付ける引留具７と、引留クランプ５を介してピン碍子３に支持された高圧線４の縁線８とから構成されている。そして、引留クランプ５、耐張碍子６、引留具７を介して支持された各高圧線４は、垂れ下がらないよう所定の張力がかけられているのが一般的である。なお、図３において、便宜上、下流側の耐張碍子６、高圧線４は省略しているものとする。
【０００４】
引留クランプ５は、台形状の挿通孔を有する角環状の保持部５ａと、該保持部５ａから軸線に沿って延設された連結部５ｂと、挿通孔に挿通されると共に、連結部５ｂの所望の位置に固定される楔５ｃと、該楔５ｃの上面に沿って挿通孔に挿通される押さえ部材５ｄと、該押さえ部材５ｄの端部を貫通して楔５ｃに螺合した締結ボルト５ｅと、保持部５ａ、連結部５ｂ、楔５ｃ、押さえ部材５ｄ、締結ボルト５ｅを被覆した絶縁カバー５ｆと、保持部５ａの下面に突設された引っ掛け輪５ｇとから構成されている。そして、引っ掛け輪５ｇに張線器１０の連結具１１が連結される。なお、後述する、工具としての張線器１０、及び高圧線用仮設支持具としての鉄線２０に連結されている引留クランプ５の絶縁カバー５ｆは除去しているものを図示している。
【０００５】
つぎに応急処置において使用される張線器１０、及び鉄線２０について説明する。該張線器１０は、高圧線４の引留クランプ５が連結される連結具１１を有する環状のワイヤ１２と、電柱１の腕金２に連結するためのフック１３を有する直線状のワイヤ１４と、該ワイヤ１４を巻き取るスプロケット１５を備えた巻取部１６と、該スプロケット１２の巻き取り操作を行う操作レバー１７とから構成されている。一方、鉄線２０は、直径５ｍｍ程度の線材からなり、一端部がピン碍子３に巻き付けられ、他端部が、高圧線４の引留クランプ５に巻き付けられる。なお、張線器１０及び鉄線２０に連結されている引留クランプ５の絶縁カバーは除去しているものを図示している。
【０００６】
つぎに応急処置について説明する。まず、図３に示すように、破損している耐張碍子６の近傍に位置するよう、張線器１０のワイヤ１４を電柱１の腕金２に巻き付けて、該ワイヤ１４にフック１３を引っ掛ける。そして、破損している耐張碍子６に引留クランプ５が装着された状態で、張線器１０のワイヤ１２の連結具１１を引留クランプ５の引っ掛け輪５ｇに連結させる。続いて、操作レバー１７を操作してワイヤ１４を巻き取り、破損している耐張碍子６と引留クランプ５の張力を回避して、該耐張碍子６を取り外し、この耐張碍子６に支持されていた高圧線４を、他の架設状態の高圧線４に略平行するように、且つ所定の張力がかかるように架設する。
【０００７】
つぎに、取り外した高圧線４に対応するピン碍子３に、鉄線２０の一端部を巻き付けて、鉄線２０をピン碍子３に固定すると共に、鉄線２０の他端部を、張線器１０によって架設されている高圧線４の引留クランプ５の連結部５ｂに連結固定する。最後に、張線器１０を電柱１の腕金２から取り外すと共に、破損している耐張碍子６を腕金２から取り外す。
【０００８】
このような張線器１０を使用した従来の施工方法として、電柱１の腕金２に取り付けられた連結状態の耐張碍子６を、断面コ字形状の受板で支持する一方、腕金２に張線器１０を連結し、該耐張碍子６に支持された高圧線４を、耐張碍子６から張線器１０に移動させるものが公知になっている（例えば特許文献１参照）。
【特許文献１】特許第３４２７１１８号公報
【発明の開示】
【発明が解決しようとする課題】
【０００９】
しかしながら、上記従来の高圧線用仮設支持具の場合、高圧線４に張力が係っていることに加えて、鉄線２０が硬くて腕金２に巻き付けて固定するのに労力を要し、その作業が煩雑であるという問題がある。
【００１０】
しかも、耐張碍子６の種類によって大きさが異なる。例えば一般型耐張碍子が２０ｃｍであるのに対して、耐塩型耐張碍子が２５ｃｍである。また、いずれの耐張碍子も二個連結して使用するのが通常であり、その分腕金２から引留クランプ５の間隔が大きくなる。このため、耐張碍子６の大きさに合わせて、腕金２から引留クランプ５の間隔が異なり、取り外した高圧線４に対して一定の張力をかけることが困難であるという問題がある。
【００１１】
そこで、本発明は、上記問題点を鑑み、破損した耐張碍子の代わりに、高圧線を支持する場合、鉄線を用いることなく、高圧線を、電柱の頭部における高圧線の引留箇所に所定期間仮支持させる高圧線用仮設支持具を提供することを目的とする。
【課題を解決するための手段】
【００１２】
前記課題を解決するために、本発明に係る高圧線用仮設支持具は、張線状態の高圧線４が挟持される引留クランプ５、該引留クランプ５に連結される耐張碍子６、該引留クランプ５から導出された高圧線４の縁線８を支持するためのピン碍子３、耐張碍子６やピン碍子３が取り付けられる腕金２を備えた、電柱１の頭部における高圧線４の引留箇所に、破損した耐張碍子６に連結される引留クランプ５を仮支持できるよう仮設される高圧線用仮設支持具であって、一端側に、ピン碍子３に引っ掛けられる引っ掛け部３０が設けられると共に、他端側に、引留クランプ５に連結される連結部が設けられ、さらに、引っ掛け部３０と連結部との間に、耐張碍子６の種類に応じて、ピン碍子３と引留クランプ５との間隔を変更する間隔変更部４５が設けられてなることを特徴とする。
【００１３】
したがって、耐張碍子６が破損した場合において、例えば、破損した耐張碍子６が一般形、耐塩形のいずれであっても、ピン碍子３と高圧線４の引留クランプ５との間隔に合わせて、高圧線４を張設できる。
【００１４】
また、本発明によれば、間隔変更部４５として、ターンバックルを採用する構成としてもよい。
【００１５】
また、本発明によれば、引っ掛け部３０を、Ｕ字形状に折り曲げられてピン碍子３に引っ掛けられる紐状体３１と、該折り曲げられた状態の紐状体３１の両端部が、ピン碍子３の径よりも幅小の状態で保持されると共に、折り曲げられた状態の紐状体３１の少なくとも一端部が係脱可能な保持具３８と、該保持具３８に連結可能で、且つターンバックル４５の一方の雄ねじ４６に連結可能な連結具３６とで構成し、連結部を、ターンバックル４５の他方の雄ねじ４６に形成された連結用リング４８と、引留クランプ５及び連結用リング４８を連結する連結部材（５ｂ、３９）とで構成するようにしてもよい。
【００１６】
この場合、紐状体３１が締め付けられた状態でピン碍子３に引っ掛けられるので、高圧線４を確実に支持できる。また、高圧線４を確実に支持した状態で、耐張碍子６の種類に応じてピン碍子３と引留クランプ５との間隔を容易に変更できる。
【発明の効果】
【００１７】
以上のように、本発明によれば、破損した耐張碍子が、一般形、耐塩形のいずれであっても、即ちピン碍子と高圧線の引留クランプとの間隔が異なる場合であっても、間隔変更部によって対処できるので、高圧線に適切な張力を与えた状態で、高圧線を仮支持できる効果がある。
【発明を実施するための最良の形態】
【００１８】
以下、本発明の一実施形態に係る高圧線用仮設支持具について、図１及び図２を参照しつつ説明する。これらの図において、図３と同一符号は同一、もしくは相当するものを示し、異なる点は、以下の通りである。
本実施形態の高圧線用仮設支持具は、ピン碍子３に引っ掛ける引っ掛け部３０と、引留クランプ５に連結される連結部と、耐張碍子６の種類に応じて、ピン碍子３と引留クランプ５との間隔を変更する間隔変更部４５とから構成されている。
【００１９】
引留クランプ５は、台形状の挿通孔を有する角環状の保持部５ａと、該保持部５ａから軸線に沿って延設された連結部５ｂと、挿通孔に挿通されると共に、連結部５ｂの所望の位置に固定される楔５ｃと、該楔５ｃの上面に沿って挿通孔に挿通される押さえ部材５ｄと、該押さえ部材５ｄの端部を貫通して楔５ｃに螺合した締結ボルト５ｅと、保持部５ａ、連結部５ｂ、楔５ｃ、押さえ部材５ｄ、締結ボルト５ｅを被覆した絶縁カバー５ｆと、保持部５ａの下面に突設された、張線器１０の連結具１１が連結される引っ掛け輪５ｇとから構成されている。なお、張線器１０及び間隔変更部４５に連結されている引留クランプ５の絶縁カバー５ｆは除去しているものを図示している。
【００２０】
引っ掛け部３０は、Ｕ字形状に折り曲げられた紐状体（以下ワイヤという）３１と、折り曲げられた状態のワイヤ３１の両端部を、ピン碍子３の径よりも幅小の状態で保持する保持部３５とで構成されている。そして、ワイヤ３１は、その両側部を除いた部位が絶縁性を有する熱収縮チューブによって被覆されることで絶縁処理されている。さらに、ワイヤ３１の両側部の臨出部位にそれぞれ平坦な挿通部３２が形成されており、一方の挿通部３２は、ワイヤ３１の一端部から離れた位置に押し潰されて形成され、他方の挿通部３２は他端部の近傍位置に押し潰されて形成されている。さらに、ワイヤ３１の両端部には、その軸線に対して直交するように円形状の係止部３３が一体化されている。
【００２１】
保持部３５は、略コ字形状の連結具３６と、該連結具３６に植設された支持ボルト３７と、該支持ボルト３７に回動可能に支持された保持具３８とを備えている。
【００２２】
連結具３６は、支持ボルト３７が植設されている基部３６ａと、該基部３６ａの両端部が折り曲げられて形成された両折曲部３６ｂと、該両折曲部３６ｂに貫設された連結ピン３９とを有している。該連結ピン３９の先端部には、連結ピン３９を抜け止めするための着脱可能なストッパ４０が、連結ピン３９の軸線に対して直交する方向に貫通している。なお、連結ピン３９は、引留クランプ５の連結部５ｂと、後述するターンバックル４５の雄ねじ４６の連結リング４８との連結にも使用されるものとする。
【００２３】
保持具３８は、図２（イ）〜（ハ）に示すように、正面視略矩形状を呈し、長辺がピン碍子３の直径に対して１／３程度小さい長さで、短辺がワイヤ３１の両端部を充分に係止できる長さになっている。しかも、保持具３８の中央部には、支持ボルト３７が挿通される貫通穴３８ａが形成されている。さらに、貫通穴３８ａの周面には、後述する支持ボルト３７の突起３７ｃが係止する係止凹部３８ｂが放射状に形成されている。加えて、保持具３８の両側には、その軸線に沿ってワイヤ３１の挿通孔３８ｃが形成されており、挿通孔３８ｃの周面には、ワイヤ３１の挿通部３２が挿入される挿入溝３８ｄと、該挿入溝３８ｄに平行する切欠部３８ｅとが形成されている。そして、挿通孔３８ｃの径は、ワイヤ３１の径よりもやや大きく、係止部３３の径よりも小さくなっており、ワイヤ３１の挿通部３２が挿入溝３８ｄに位置したとき、ワイヤ３１の両端部が切欠部３８ｅから挿脱できるようになっている。
【００２４】
また、ワイヤ３１がＵ字形状に折り曲げられてピン碍子３に引っ掛けられ、ワイヤ３１の係止部３３が挿通孔３８ｃの周縁部に当接した状態では、ピン碍子３に引っ掛けられた部位の径よりも、ワイヤ３１の両端部が幅小の状態で、ピン碍子３への引っ掛け部位の位置よりも低位置に位置することになり、ワイヤ３１の両端部が引き締められて、ワイヤ３１に対して張力が係るようになる一方、ワイヤ３１の挿通部３２が保持具３８から突出することになり、保持具３８からの逸脱が防止されるようになっている。
【００２５】
支持ボルト３７は、先端部が保持具３８に固着された円柱状の軸部３７ａと、該軸部３７ａの基部に形成された、該軸部３７ａよりも大径の頭部３７ｂと、該頭部３７ｂの下面に放射状に突設された突起３７ｃとを備えている。
【００２６】
間隔変更部４５は、ターンバックルからなり、所定の間隔をおいて一直線上に配された雄ねじ４６と、該両雄ねじ４６の対向端部に螺合した雌ねじ４７とを有している。一方の雄ねじ４６の対向端部には、右ねじが形成され、他方の雄ねじ４６の対向端部には、左ねじが形成されている。さらに、両雄ねじ４６の先端部には、連結部としての連結用リング４８が設けられている。雌ねじ４７を正又は逆方向に回動することにより互いの雄ねじ４６が離間又は近接する方向に移動する。
【００２７】
つぎに使用態様について説明する。まず、従来と同様に、破損している耐張碍子６の近傍に位置するよう、張線器１０のワイヤ１４を腕金２に巻き付ける。つぎに、破損している耐張碍子６に引留クランプ５が装着された状態で、張線器１０のワイヤ１２の連結具１１を引留クランプ５の引っ掛け輪５ｇに連結させる。続いて、操作レバー１７を操作してワイヤ１４を巻き取り、破損している耐張碍子６と引留クランプ５の張力を回避して、該耐張碍子６を取り外し、この耐張碍子６に支持されていた高圧線４を、他の架設状態の高圧線４と同様に架設する。
【００２８】
その後、高圧線仮設用支持具の引っ掛け部３０のワイヤ３１を、破損している耐張碍子６に対応するピン碍子３に引っ掛けて、ワイヤ３１の一方の挿通部３２を保持具３８の挿通孔３８ｃに挿通させた後、他方の挿通部３２を挿通孔３８ｃに挿通させ、ワイヤ３１の係止部３３を保持具３８の挿通孔３８ｃの周縁部に当接させる。
【００２９】
続いて、ターンバックル（間隔変更部）４５の一方の雄ねじ４６の連結用リング４８（連結部）に、連結具３６の連結ピン３９を連結すると共に、他方の雄ねじ４６の連結用リング４８と引留クランプ５の連結部５ｂとを連結ピン３９で連結し、工事対象になっている高圧線４が他の高圧線４に平行するよう、且つ適正な張力が与えられるよう架設する。
【００３０】
この際、耐張碍子６の種類（一般形、耐塩形）に合わせて、ターンバックル４５でピン碍子３と引留クランプ５との間隔を適宜変更できるようになっている。
【００３１】
なお、上記実施形態の場合、Ｕ字形状の引っ掛け部３０と、保持具３５と、ターンバックル４５とを個別に構成したが、環状の引っ掛け部３０と、フックを有する雄ねじが設けられたターンバックル４５とを使用し、該引っ掛け部３０にターンバックル４５のフックを引っ掛けるようにしてもよい。要するに、ピン碍子３及び引留クランプ５に連結できると共に、耐張碍子６の種類に応じて、ピン碍子３と引留クランプ５との間隔を容易に変更できる構成であればよい。
【００３２】
また、上記実施形態の場合、破損している耐張碍子６に引留クランプ５が装着された状態で、張線器１０の連結具１１を引っ掛け輪５ｇに連結するようにしたが、これに限らず、連結具１１の代わりに専用のチャック、例えば永木精機製のカムラー（商品名）を使用して、破損している耐張碍子６に引留クランプ５を介して支持されている高圧線４を挟持するようにしてもよい。
【図面の簡単な説明】
【００３３】
【図１】本発明の一実施形態に係る高圧線用仮設支持具を実装した状態を示す斜視図である。
【図２】（イ）は高圧線用仮設支持具の引っ掛け部を示す平面図、（ロ）は引っ掛け部の保持部の正面図、（ハ）は保持部の側面図である。
【図３】従来の高圧線用仮設支持具を実装した状態を示す斜視図である。
【符号の説明】
【００３４】
１…電柱、２…腕金、３…ピン碍子、４…高圧線、５…引留クランプ、５ｂ…連結部、６…耐張碍子、８…縁線、３０…引っ掛け部、３１…ワイヤ（紐状体）、３６…連結具、３８…保持具、３９…連結ピン、４５…ターンバックル（間隔変更部）、４６…雄ねじ、４８…連結用リング（連結部）
【図１】
2007295679.tif 000003
【図２】
2007295679.tif 000004
【図３】
2007295679.tif 000005